(57)【要約】【課題】本発明は、従来にない作用効果を発揮する画期的な消雪ブロックを提供することを目的とする。【解決手段】地面下に埋設され、所定長にして内部に通水部１を有し、頂面部３ａに散水部２が形成された消雪ブロック３であって、この消雪ブロック３は、少なくとも二つを連結して用いられるものであり、また、この消雪ブロック３は両端部に夫々凹所４が設けられ、両凹所４には通水管５が突設され、隣接する消雪ブロック３の前記通水管５同士は、連結体６を介して連結されるものであり、前記凹所４は前記消雪ブロック３の上方若しくは側方に開口する開口部４ａを有し、この開口部４ａは少なくとも作業者の手を導入し得る大きさである。【選択図】図１
2008115537.tif 000002
【特許請求の範囲】
【請求項１】
地面下に埋設され、所定長にして内部に通水部を有し、頂面部に散水部が形成された消雪ブロックであって、この消雪ブロックは、少なくとも二つを連結して用いられるものであり、また、この消雪ブロックは両端部に夫々凹所が設けられ、両凹所には通水管が突設され、隣接する消雪ブロックの前記通水管同士は、連結体を介して連結されるものであり、前記凹所は前記消雪ブロックの上方若しくは側方に開口する開口部を有し、この開口部は少なくとも作業者の手を導入し得る大きさであることを特徴とする消雪ブロック。
【請求項２】
請求項１記載の消雪ブロックにおいて、前記消雪ブロックは、前記散水部が設けられる頂面部と、この頂面部よりも巾広の底面部と、前記頂面部及び底面部を連設する下方に傾斜した側面部とからなる構成であり、この側面部に前記凹所の開口部が形成されていることを特徴とする消雪ブロック。
【請求項３】
請求項１，２いずれか１項に記載の消雪ブロックにおいて、前記凹所に突設される通水管は、消雪ブロックの端部から突出しない長さに設定されていることを特徴とする消雪ブロック。
【請求項４】
請求項１〜３いずれか１項に記載の消雪ブロックにおいて、隣接する消雪ブロックの前記通水管同士は、該通水管同士間に筒状の連結体を架設状態に設けることで通水可能に連結されていることを特徴とする消雪ブロック。
【発明の詳細な説明】
【技術分野】
【０００１】
本発明は、例えば降雪地における道路に敷設される消雪ブロックに関するものである。
【背景技術】
【０００２】
本出願人は、特公平７−９１８１７号に開示される消雪ブロック33を提案している。
【０００３】
この消雪ブロック33は、図１３に図示したようにコンクリート製の本体内に通水管35を設けるとともに、該通水管35に連設する散水ノズル32を頂面部33ａに設けたものであり、少なくとも二つが連結して用いられるものである。
【０００４】
【特許文献１】特公平７−９１８１７号公報
【発明の開示】
【発明が解決しようとする課題】
【０００５】
ところで、前述した消雪ブロック33は、該消雪ブロック33の一端部には通水管35の一端部である雄管部35ａが凸設されるとともに、該消雪ブロック33の他端部には通水管35の他端部である雌管部35ｂが凹設されており、よって、隣接する消雪ブロック33同士の連結は、一の消雪ブロック33の雄管部35ａを他の消雪ブロック33の雌管部35ｂに嵌挿連結させることで行われる。
【０００６】
しかしながら、この従来から提案される消雪ブロック33は、実際に消雪ブロック33同士を連結する場合、クレーン等の重機で吊り下げた一の消雪ブロック33を他の消雪ブロック33から少し離れた位置に配し、続いて、一の消雪ブロック33の雄管部35ａを他の消雪ブロック33の雌管部35ｂへ嵌挿すべく一の消雪ブロック33を他の消雪ブロック33側へ水平移動させるという操作が必要となるが、このように重量の重い消雪ブロック33を移動させるのは厄介である。
【０００７】
また、互いに連結されている複数の消雪ブロック33の中から破損した一つの消雪ブロック33を交換する作業においても問題点が指摘されている。
【０００８】
具体的には、例えば図１４に図示したように互いに連結される３つの消雪ブロック33Ａ，33Ｂ，33Ｃの中から中央の消雪ブロック33Ａを交換する作業を例に説明する。
【０００９】
先ず、図１５に図示したように中央の消雪ブロック33Ａと左右の消雪ブロック33Ｂ，33Ｃとの境界から切断装置の刃を入れて、中央の消雪ブロック33Ａの雄管部35ａ及び左側の消雪ブロック33Ｂの雄管部35ａを切断し、中央の消雪ブロック33Ａを吊り上げて撤去する。
【００１０】
続いて、図１６，１７に図示したように左側の消雪ブロック33Ｂ及び右側の消雪ブロック33Ｃ夫々のコンクリート部分（図１６中斜線部分）を削って通水管35の端部を露出させ、その後、図１８に図示したようにこの露出した各通水管35の端部に周面にネジ溝37ａが形成された延長管37を溶接する。この際、右側の消雪ブロック33Ｃに露出させる通水管35においては、雌管部35ｂを切断した後、延長管37を溶接している。
【００１１】
続いて、図１９，２０に図示したように左右の消雪ブロック33Ｂ，33Ｃの間に別途用意した消雪ブロック33Ａ，33Ｂ，33Ｃとは構造の異なる交換用の消雪ブロック33Ｄ（消雪ブロック33Ａ，33Ｂ，33Ｃとは通水管35の端部構造が異なる。）を配設する。この交換用の消雪ブロック33Ｄは、両端部から通水管35の端部が突設され、この突設する部位の周面にはネジ溝35ｃが形成され、また、この突設する各部位には予め管状の連結体36（カップリング）が被嵌されている。
【００１２】
続いて、図２１に図示したように連結体36を前述した左右の消雪ブロック33Ｂ，33Ｃ夫々の延長管37に被嵌状態となるまで螺着させ、その後、図２２に図示したように左右の消雪ブロック33Ｂ，33Ｃと中央の消雪ブロック33Ａ夫々の間にコンクリート38を打設して完成する。
【００１３】
以上のように、従来から提案される消雪ブロック33は、前述したようにコンクリート部分を削る作業、通水管35の不要な部分（雌管部35ｂ）を切断する作業、切断した部位への延長管37の溶接作業が必要となるため厄介であり（現場で迅速に行うのは大変である。）、しかも、交換用の消雪ブロックを別途用意しなければならずコスト高となってしまうなどの問題点がある。
【００１４】
本出願人は、上述の問題点に着目し、種々の実験・研究を繰り返し行った結果、従来にない作用効果を発揮する画期的な消雪ブロックを開発した。
【課題を解決するための手段】
【００１５】
添付図面を参照して本発明の要旨を説明する。
【００１６】
地面下に埋設され、所定長にして内部に通水部１を有し、頂面部３ａに散水部２が形成された消雪ブロック３であって、この消雪ブロック３は、少なくとも二つを連結して用いられるものであり、また、この消雪ブロック３は両端部に夫々凹所４が設けられ、両凹所４には通水管５が突設され、隣接する消雪ブロック３の前記通水管５同士は、連結体６を介して連結されるものであり、前記凹所４は前記消雪ブロック３の上方若しくは側方に開口する開口部４ａを有し、この開口部４ａは少なくとも作業者の手を導入し得る大きさであることを特徴とする消雪ブロックに係るものである。
【００１７】
また、請求項１記載の消雪ブロックにおいて、前記消雪ブロック３は、前記散水部２が設けられる頂面部３ａと、この頂面部３ａよりも巾広の底面部３ｂと、前記頂面部３ａ及び底面部３ｂを連設する下方に傾斜した側面部３ｃとからなる構成であり、この側面部３ｃに前記凹所４の開口部４ａが形成されていることを特徴とする消雪ブロックに係るものである。
【００１８】
また、請求項１，２いずれか１項に記載の消雪ブロックにおいて、前記凹所４に突設される通水管５は、消雪ブロック３の端部から突出しない長さに設定されていることを特徴とする消雪ブロックに係るものである。
【００１９】
また、請求項１〜３いずれか１項に記載の消雪ブロックにおいて、隣接する消雪ブロック３の前記通水管５同士は、該通水管５同士間に筒状の連結体６を架設状態に設けることで通水可能に連結されていることを特徴とする消雪ブロックに係るものである。
【発明の効果】
【００２０】
本発明は上述のように構成したから、従来から提案されるものに比し、隣接する消雪ブロック同士の連結作業及び連結される消雪ブロックの交換作業が簡易且つ迅速に行えるなど従来にない作用効果を発揮する画期的な消雪ブロックとなる。
【発明を実施するための最良の形態】
【００２１】
好適と考える本発明の実施形態を、図面に基づいて本発明の作用を示して簡単に説明する。
【００２２】
隣接する消雪ブロック３同士を連結する場合、作業者は、隙間なく並設した消雪ブロック３の端部に設けられる凹所４に手を入れ、この凹所４に突設される通水管５同士を連結体６により連結する。この消雪ブロック３に設けられる凹所４は、該消雪ブロック３の上方若しくは側方に開口する開口部４ａを有し、この開口部４ａは作業者の手を導入し得る大きさである為、作業者は消雪ブロック３の上方位置に居ながら凹所４に手を入れて隣接する消雪ブロック３の通水管５同士の連結作業を行うことができる。
【００２３】
また、連結される複数の消雪ブロック３の中から一部の消雪ブロック３を交換する場合、先ず、前述した従来と同様に消雪ブロック３同士の境界から例えば切断装置の刃を入れて連結体６を切断するか、若しくは、開口部４ａから手を入れて連結体６における連結状態を解除し、続いて、交換する消雪ブロック３を上方に移動させるなどして撤去し、続いて、代わりの同構造の消雪ブロック３を他の消雪ブロック３と隣接状態となるように配し、続いて、前述した連結作業を行うことで隣接する消雪ブロック３同士を連結して消雪ブロック３の交換作業が完了する。本発明は、前述した従来から提案される消雪ブロック33と異なり、コンクリート部分を削る作業、通水管35の不要な部分（雌管部35ｂ）を切断する作業、切断した部位への延長管37の溶接作業を行う必要はなく、しかも、異なる構造の交換用の消雪ブロックを別途用意する必要もない。
【００２４】
以上のように、本発明は、従来から提案されるものに比し、隣接する消雪ブロック同士の連結作業及び連結される消雪ブロックの交換作業が簡易且つ迅速に行えることになる。
【実施例】
【００２５】
本発明の具体的な実施例について図面に基づいて説明する。
【００２６】
本実施例は、地面下に埋設され、所定長にして内部に通水部１を有し、頂面部３ａに散水部２が形成された消雪ブロック３であって、この消雪ブロック３は、少なくとも二つが連結して用いられるものである。
【００２７】
具体的には、消雪ブロック３は、図１〜４に図示したようにコンクリート製の部材で形成した長尺のブロック体であり、断面形状が台形状に設定され、散水部２が設けられる頂面部３ａの左右に、該頂面部３ａよりも巾広の底面部３ｂへ向けて下方に傾斜する側面部３ｃが連設される構成である。
【００２８】
また、消雪ブロック３は、図３に図示したように内部に通水部１を構成する通水管５が設けられ、この通水管５の所定位置には、消雪ブロック３の頂面部３ａに散水孔２ａが配される散水部２（散水ノズル）が連設されている。
【００２９】
また、消雪ブロック３の左右両端部には、凹所４が設けられている。
【００３０】
この凹所４は、図１，２，４に図示したように消雪ブロック３の端部下方部位を切欠状に形成して構成されており、その内部には通水管５の端部が突設されている。
【００３１】
また、この凹所４に突設される通水管５は、消雪ブロック３の端部から突出しない長さに設定されている。
【００３２】
また、凹所４は、消雪ブロック３の側面部３ｃに該消雪ブロック３の斜め上方に開口する開口部４ａが形成されており、この開口部４ａは少なくとも作業者の手を導入し得る大きさに設定されている。
【００３３】
この凹所４から突設する通水管５は他の隣接する消雪ブロック３の通水管５と連結体６を介して連結される。
【００３４】
連結体６は、図５に図示したようにゴム製の筒状パッキン６ａと、該筒状パッキン６ａに被嵌されるＣ字状の締付具６ｂとから成る筒状体であり、締付具６ｂの締付ボルト６ｂ’を螺動させて締付具６ｂを縮径することで筒状パッキン６ａを被嵌した部位（通水管５の周面）に押圧せしめることができる。
【００３５】
従って、図６に図示したように消雪ブロック３の側面部３ｃに設けた開口部４ａから凹所４内に手を入れて、一の消雪ブロック３の通水管５と他の消雪ブロック３の通水管５との間に連結体６を架設状態に被嵌して該通水管５同士を連結することができる。
【００３６】
以上の構成からなる本実施例に係る消雪ブロック３を複数敷設して該消雪ブロック３同士を連結する連結作業について説明する。
【００３７】
先ず、図７に図示したように複数の消雪ブロック３を隙間なく隣接状態となるように敷設する。
【００３８】
続いて、作業者は、図６，８に図示したように消雪ブロック３の端部に設けられる開口部４ａから凹所４に手を入れ、この凹所４に突設される通水管５同士を連結体６により連結する。
【００３９】
その後、消雪ブロック３の凹所４などにコンクリートを打設して作業は完成する。
【００４０】
次に、連結される複数の消雪ブロック３の中から一部の消雪ブロック３を交換する場合について説明する。尚、例えば図９に図示したように互いに連結される３つの消雪ブロック３Ａ，３Ｂ，３Ｃの中から中央の消雪ブロック３Ａを交換する作業を例に説明する。
【００４１】
先ず、図１０に図示したように中央の消雪ブロック３Ａと左右の消雪ブロック３Ｂ，３Ｃとの境界から切断装置の刃を入れて、中央の消雪ブロック３Ａの通水管５と左右の消雪ブロック３Ｂ，３Ｃの通水管５との間に架設される各連結体６を切断し、中央の消雪ブロック３Ａを吊り上げて撤去する。
【００４２】
続いて、図１１に図示したように左右の消雪ブロック３Ｂ，３Ｃの間に新品の消雪ブロック３Ａ’を配設する。この新品の消雪ブロック３Ａ’は、予めその両端部の凹所４から突設される通水管５に連結体６が被嵌されている。
【００４３】
続いて、図１２に図示したように連結体６を左右の消雪ブロック３Ｂ，３Ｃ夫々の通水管５に被嵌状態となるまでスライド移動させ、連結体６を締め付け固定する。
【００４４】
その後、この交換作業によって生じた隙間や凹部にコンクリート38を打設して作業は完成する。
【００４５】
本実施例は上述のように構成したから、従来から提案されるものに比し、隣接する消雪ブロック同士の連結作業及び連結される消雪ブロックの交換作業が簡易且つ迅速に行えることになる。
【００４６】
また、本実施例は、凹所４に突設される通水管５は、消雪ブロック３の端部から突出しない長さに設定されているから、例えば消雪ブロック３同士の境界から切断装置の刃を入れて行う連結体６の切断を行なっても通水管５が破損することは確実に防止されることになる。
【００４７】
また、本実施例は、隣接する消雪ブロック３の通水管５同士は該通水管５同士間に筒状の連結体６を架設状態に被嵌することで通水可能に連結されるから、この点においても通水管５同士の連結が簡易且つ迅速に行えることになる。
【００４８】
尚、本発明は、本実施例に限られるものではなく、各構成要件の具体的構成は適宜設計し得るものである。
【図面の簡単な説明】
【００４９】
【図１】本実施例の使用状態説明図である。
【図２】本実施例を示す平面図である。
【図３】図２のＡ−Ａ断面図である。
【図４】本実施例を示す端面図である。
【図５】本実施例に係る要部の説明斜視図である。
【図６】本実施例に係る要部の動作説明図である。
【図７】本実施例に係る消雪ブロック３同士を連結する連結作業説明図である。
【図８】本実施例に係る消雪ブロック３同士を連結する連結作業説明図である。
【図９】本実施例に係る消雪ブロック３を交換する交換作業説明図である。
【図１０】本実施例に係る消雪ブロック３を交換する交換作業説明図である。
【図１１】本実施例に係る消雪ブロック３を交換する交換作業説明図である。
【図１２】本実施例に係る消雪ブロック３を交換する交換作業説明図である。
【図１３】従来例を示す正面図である。
【図１４】従来例に係る消雪ブロック33を交換する交換作業説明図である。
【図１５】従来例に係る消雪ブロック33を交換する交換作業説明図である。
【図１６】従来例に係る消雪ブロック33を交換する交換作業説明図である。
【図１７】従来例に係る消雪ブロック33を交換する交換作業説明図である。
【図１８】従来例に係る消雪ブロック33を交換する交換作業説明図である。
【図１９】従来例に係る消雪ブロック33を交換する交換作業説明図である。
【図２０】従来例に係る消雪ブロック33を交換する交換作業説明図である。
【図２１】従来例に係る消雪ブロック33を交換する交換作業説明図である。
【図２２】従来例に係る消雪ブロック33を交換する交換作業説明図である。
【符号の説明】
【００５０】
１  通水部
２  散水部
３  消雪ブロック
３ａ  頂面部
３ｂ  底面部
３ｃ  側面部
４  凹所
４ａ  開口部
５  通水管
６  連結体
【図１】
2008115537.tif 000003
【図２】
2008115537.tif 000004
【図３】
2008115537.tif 000005
【図４】
2008115537.tif 000006
【図５】
2008115537.tif 000007
【図６】
2008115537.tif 000008
【図７】
2008115537.tif 000009
【図８】
2008115537.tif 000010
【図９】
2008115537.tif 000011
【図１０】
2008115537.tif 000012
【図１１】
2008115537.tif 000013
【図１２】
2008115537.tif 000014
【図１３】
2008115537.tif 000015
【図１４】
2008115537.tif 000016
【図１５】
2008115537.tif 000017
【図１６】
2008115537.tif 000018
【図１７】
2008115537.tif 000019
【図１８】
2008115537.tif 000020
【図１９】
2008115537.tif 000021
【図２０】
2008115537.tif 000022
【図２１】
2008115537.tif 000023
【図２２】
2008115537.tif 000024